(57)【特許請求の範囲】
【請求項１】
軸筒の前部外周面に弾性材料よりなる筒状のグリップを取り付けた筆記具であって、前記グリップを取り付ける軸筒の前部外周面の前側に、前記グリップの前端部と当接する鍔部を一体に形成し、前記軸筒の後部外周面に、前記グリップの後端部と当接する筒状の外装体を押し込み嵌合によって装着させ、前記鍔部と前記外装体との間で前記グリップを前後方向に挟持固定してなり、前記外装体が装着される軸筒の後部外周面の外径を、前記グリップが装着される軸筒の前部外周面の外径よりも小さく設定し、前記軸筒内の後部に直接インキを収容するインキタンクを設けると共に、前記軸筒内の前部に前記インキタンクの内圧変化に応じた溢出インキを一時的に保持するインキ保留部材を設け、前記外装体が、前記インキタンクの位置する軸筒の外周面に装着されると共に、前記グリップが、前記インキ保留部材の位置する軸筒の外周面に装着され、グリップ及び外装体により軸筒外周面が連続して覆われてなることを特徴とする筆記具。
【発明の詳細な説明】
【０００１】
【発明の属する技術分野】
本発明は、筆記具に関する。詳細には、軸筒の前部外周面に弾性材料よりなる筒状のグリップを取り付けた筆記具に関する。尚、本発明で「前」とはペン先側を指し、「後」とは外装体側を指す。
【０００２】
【従来の技術】
従来、軸筒外面にグリップを取り付けた筆記具として、例えば、（ａ）ペン先外周面を圧接支持する先細形状の先部材を軸筒先端に螺合により着脱自在に設け、前記先部材と、その後方の軸筒外周面に設けた段部との間に、弾性材料よりなる筒状のグリップを取り付けたもの、又は、（ｂ）軸筒の前部外周面に環状の取付凹部を設け、その取付凹部に前記グリップを乗り越え嵌合（又は落とし込み嵌合）させるもの等が知られている。
【０００３】
しかし、前記（ａ）のタイプの筆記具のグリップ取付構造は、先部材が螺合により軸筒に取り付けられているため、先部材が筆記使用によって緩み、グリップが、回転したり、あるいは前後にがたついたりするおそれがある。また、前記（ｂ）のタイプの筆記具のグリップ取付構造は、グリップ取付時の乗り越え嵌合の際、グリップの径方向外方への弾性変形（拡開変形）を利用するため、円滑なグリップの装着性を維持するには、グリップを、あまり肉厚なものにすることができず、その結果、所望するソフトなグリップの握り感が得られないおそれがある。
【０００４】
また、従来、軸筒内に、直接インキを収容するインキタンクと、該インキタンクの内圧変動による溢出インキを一時的に保持するインキ保留部材とを設けた筆記具（いわゆる直液式筆記具）において、軸筒後部のインキタンクの外周面を筒状の外装体で覆う構成も知られている。
【０００５】
ところが、前記従来の直液式筆記具は、筆記使用時、軸筒前部（即ちインキ保留部材の外周面）を直接把持するため、手の体温が軸筒後部（即ちインキタンクの外周面）に伝わり、それがインキタンク内の空気を膨張させることにより、インキタンクの内圧を上昇させ、その結果、インキ保留部材では吸収できない余剰のインキがペン先側より漏出するおそれがある。
【０００６】
【発明が解決しようとする課題】
本発明は前記従来の問題点を解決するものであって、グリップの回転や前後のがたつきを回避し、かつ、円滑なグリップ装着性を維持すると同時にグリップの肉厚を自由に設定可能なものにし、さらに、直液式筆記具の場合には、手の体温が軸筒に伝わることを抑え、インキ漏出を十分に回避できる筆記具を提供しようとするものである。
【０００７】
【課題を解決するための手段】
〔１〕本発明は、軸筒２の前部外周面に弾性材料よりなる筒状のグリップ６を取り付けた筆記具であって、前記グリップ６を取り付ける軸筒２の前部外周面の前側に、前記グリップ６の前端部と当接する鍔部３を一体に形成し、前記軸筒２の後部外周面に、前記グリップ６の後端部と当接する筒状の外装体７を押し込み嵌合によって装着させ、前記鍔部３と前記外装体７との間で前記グリップ６を前後方向に挟持固定してなり、前記外装体７が装着される軸筒２の後部外周面の外径を、前記グリップ６が装着される軸筒２の前部外周面の外径よりも小さく設定し、前記軸筒２内の後部に直接インキを収容するインキタンク２１を設けると共に、前記軸筒内２の前部に前記インキタンク２１の内圧変化に応じた溢出インキを一時的に保持するインキ保留部材９を設け、前記外装体７が、前記インキタンク２１の位置する軸筒２の外周面に装着されると共に、前記グリップ６が、前記インキ保留部材９の位置する軸筒２の外周面に装着され、グリップ６及び外装体７により軸筒２外周面が連続して覆われてなること（請求項１）を要件とする。
【０００８】
（作用）
それにより、従来のような筆記使用によって緩みがちな先部材を使用することがなく、グリップ６が装着される軸筒２の前部４外周面の前側に一体に形成された鍔部３と、軸筒２の後部５外周面に装着する別体の外装体７とにより、弾性材料よりなるグリップ６が、前後方向に僅かに圧縮変形されて挟持固定がなされる。それにより、筆記使用時のグリップ６の回転や前後のがたつきが十分に抑止される。
【０００９】
また、グリップ６を軸筒２に装着する際、従来のようにグリップ６を径方向外方に大きく拡開変形させる必要がなく、軸筒２にスムーズに装着できるため、グリップ６の肉厚を所望する肉厚に自由に設定できる。したがって、グリップ６を十分に厚肉にしてソフトな握り感を得ることもできる。
【００１０】
【００１１】
（作用）
前記外装体７が装着される軸筒２の後部５（小径部）外周面の外径を、前記グリップ６が装着される軸筒２の前部４（大径部）外周面の外径よりも小さく設定したことにより、グリップ６を軸筒２の後方から装着する際、グリップ６内周面が軸筒２の後部５（小径部）外周面に引っ掛かることがなく、軸筒２の前部４（大径部）外周面にグリップ６をスムーズに装着できる。
【００１２】
【００１３】
（作用）
前記軸筒２内の後部に直接インキを収容するインキタンク２１を設けると共に、前記軸筒２内の前部に前記インキタンク２１の内圧変化に応じた溢出インキを一時的に保持するインキ保留部材９を設けることにより、前記外装体７が、前記インキタンク２１の位置する軸筒２の外周面に装着されると共に、前記グリップ６が、前記インキ保留部材９の位置する軸筒２の外周面に装着される。即ち、グリップ６及び外装体７により軸筒２外周面が連続して覆われており、その上、筆記使用時、軸筒２の外周面を直接把持することなく、主に、弾性材料よりなるグリップ６を把持するため、手の体温が軸筒２の前部４から軸筒２の後部５に伝わりにくい。それにより、インキタンク２１内の圧力を上昇させてインキ漏出を生じさせることを、より一層回避できる。
【００１４】
【００１５】
【発明の実施の形態】
本発明の実施の形態について図面に従って説明する。
【００１６】
図１及び図２に本発明の実施例を示す。
【００１７】
筆記具１は、主に、先端にペン先８を備える軸筒２と、該軸筒２の前部４（大径部）外周面に取り付けられる筒状のグリップ６と、該グリップ６の後方の軸筒２の後部５（小径部）外周面に取り付けられる外装体７とからなる。
【００１８】
図２に示すように、軸筒２内の前部にはインキ保留部材９が装着され、該インキ保留部材９の後方の軸筒２内にはインキを直接貯留するインキタンク２１が形成される。前記インキ保留部材９は、複数枚の円板状櫛歯９１を備え、前記櫛歯９１相互間に一時的インキ保留部が形成される。また、前記インキ保留部材９の先端には、前記ペン先８（ここではボールペンチップ）がペン先ホルダー８１を介して取り付けられる。
【００１９】
前記ペン先８は、金属製パイプ（例えばステンレス鋼製パイプ）の先端に内方変形によってボール受け座を形成するタイプのボールペンチップであり、前記パイプ内部には、第１のインキ誘導部材９２（具体的には合成樹脂製棒状体）が収容される。また、前記ペン先８が固着されるペン先ホルダー８１内には、前記第１のインキ誘導部材９２と接続する第２のインキ誘導部材９３（具体的には繊維束の樹脂加工体）が収容されている。さらに、前記インキ保留部材９の軸心には、先端が前記第２のインキ誘導部材９３と接続し且つ後端がインキタンク２１と接続する第３のインキ誘導部材９４（具体的には内部に軸方向のインキ導出路を有する合成樹脂の押出成形体）が挿着される。
【００２０】
前記軸筒２は、その外周面に、環状の鍔部３と、該鍔部３の後方の円筒状の大径部４と、該大径部４の後方に連設された円筒状の小径部５とが一体に形成された合成樹脂の射出成形体である。前記大径部４外面にはグリップ６が装着され、前記小径部５外面には外装体７が装着される。
【００２１】
前記大径部４の外径は、前記鍔部３の外径より小さく且つ小径部５の外径より大きい外径を備える。また、前記鍔部３の外径は、グリップ６が容易に鍔部３を乗り越えて前方に抜けないよう、グリップ６の内径より大きく設定される。尚、前記軸筒２（即ち、鍔部３、大径部４、及び小径部５）の外径とは、その最大径を意味し、例えば、小径部５は、その外周面に分散状突起５１，５２，５３を備えるため、その分散状突起５１，５２，５３の最大の外接円の直径をいう。
【００２２】
前記小径部５外面には、等間隔周状に配設された４個の分散状突起５１，５２，５３が、前後方向に３箇所に配設される。前記３箇所の分散状突起５１，５２，５３の中で、前方の２箇所の分散状突起５１，５２は、外装体７内面に形成された環状凸部７１及び環状突起７２と乗り越え嵌合し、最も後方の１箇所の分散状突起５３は、外装体７内面と圧接する。
【００２３】
前記外装体７は、前端が開口され、後端が閉塞された有底円筒体であり、合成樹脂の射出成形により形成される。前記外装体７の前部内面（即ち開口側内面）には、１箇所の環状凸部７１とその後方の２箇所の環状突起７２，７３が配設される。前記環状凸部７１及び前方の環状突起７２が、前記軸筒２の小径部５外面の前方の２箇所の分散状突起５１，５２と乗り越え嵌合し、後方の１箇所の環状突起７３の前面が、軸筒２の小径部５外面の３箇所のうち中央の分散状突起５２の後面と圧接する。
【００２４】
また、前記外装体７の後部内面（即ち底部内周面）には、複数本（ここでは８本）の軸方向に伸びるリブ７４が、周状に等間隔に配設される。前記リブ７４は、軸筒２の小径部５の後端部外周面を圧接支持し、外装体７の径方向のぐらつきを防止する。
【００２５】
また、前記外装体７の内面と前記軸筒２の小径部５外面との間には、隙間７５（即ち断熱空間）が形成される。それにより、より一層、手の体温が軸筒２の小径部５（即ちインキタンク２１）に伝わることを回避できる。
【００２６】
前記グリップ６は、内部に内孔が軸方向に貫通された前後対称の円筒体であり、弾性材料（例えば、スチレン系エラストマー、オレフィン系エラストマー等の熱可塑性エラストマーやシリコンゴム）の成形体からなる。また、グリップ６の外周面には、複数本の環状溝６１が設けられ、それにより、グリップ６を把持した際の滑り止め効果が増す。
【００２７】
前記グリップ６は、鍔部３及び外装体７の外径よりも大きい外径（比較的太径）を備え、鍔部３及び外装体７よりも外方に突出し、且つ、僅かに凸曲面状の外面を備えているため、筆記使用時の握りやすさが向上する。また、前記グリップ６は、比較的厚肉に形成されるため、ソフトな握り感が得られる。
【００２８】
また、前記グリップ６の内周面の内径は、軸筒２の大径部４の外径と同じに設定したり、あるいは軸筒２の大径部４の外径より僅かに小さく設定し、グリップ６内周面と軸筒２外周面とを僅かに圧接させる構造でもよい。
【００２９】
前記グリップ６は、軸筒２への組立時、軸筒２の大径部４の外周面に、軸筒２の後方から小径部５をスムーズに貫通して装着され、その後、外装体７が、押し込み嵌合により小径部５外周面に装着される。それにより、前記グリップ６は、鍔部３の後端部と外装体７の前端部とにより前後方向に圧縮挟持される。
【００３０】
【００３１】
【００３２】
【００３３】
〔その他〕
尚、本発明のペン先８としては、前記ボールペンチップ以外にも、合成樹脂の押出成形体よりなるプラスチックペン体、繊維の樹脂加工体よりなる繊維ペン体、合成樹脂の連続気孔体よりなるポーラスペン体、パイプペン体、毛筆ペン体等の公知のペン先が適用できる。
【００３４】
尚、本発明の鍔部３の形状は、環状の他にも，複数の分散状凸部であってもよい。
【００３５】
【００３６】
【発明の効果】
請求項１により、筆記使用によるグリップの回転や前後のがたつきを十分に回避でき、かつ、グリップの円滑な装着性を維持すると共に、グリップの肉厚が自由に設定可能となる。
【００３７】
請求項１により、グリップを軸筒の後方から装着する際、グリップ内周面が軸筒の後部外周面に引っ掛かることがなく、軸筒の前部外周面にグリップをスムーズに装着できる。
【００３８】
請求項１により、筆記使用時、軸筒の外周面を直接把持することがないため、手の体温が軸筒前部から軸筒後部に伝わりにくい。それにより、インキタンク内の圧力を上昇させてインキ漏出を生じさせることを、より一層回避できる。
【００３９】
請求項１により、外装体の緩み（即ちグリップの回転や前後のがたつき）がより一層防止されると共に、グリップの迅速かつ確実な装着が可能となる。
【図面の簡単な説明】
【図１】本発明の実施例を示す要部縦断面図である。
【図２】図１の内部構造を示す縦断面図である。
【符号の説明】
１ 筆記具
２ 軸筒
２１ インキタンク
２２ インキ
２３ フォロワ
３ 鍔部
４ 大径部（軸筒の前部）
５ 小径部（軸筒の後部）
５１ 分散状突起
５２ 分散状突起
５３ 分散状突起
６ グリップ
６１ 環状溝
７ 外装体
７１ 環状凸部
７２ 環状突起
７３ 環状突起
７４ リブ
７５ 隙間
７６ 通気孔
８ ペン先
８１ ペン先ホルダー
９ インキ保留部材
９１ 櫛歯
９２ 第１のインキ誘導部材
９３ 第２のインキ誘導部材
９４ 第３のインキ誘導部材
【図１】
0004426025.tif 000002
【図２】
0004426025.tif 000003